Podtech/llm-jp-corpus-v4-ja_patent huggingface dataset:
(57)【要約】      （修正有）【課題】蒸し暑い梅雨や猛暑の夏日でも快適に着用できるワイシャツを提供する。【解決手段】ワイシャツの本体１をガーゼ布で単衣縫製すると共に、襟部５とヨーク部４と前立て部６と袖口部９をガーゼまたは現用シャツ布あるいはこれらの布を重合縫製したガーゼ製のワイシャツである。本ワイシャツは、綿糸で目粗く織った薄手の柔らかい平織りのガーゼ布で縫製されているため、汗を吸着しまた通気性がよく速乾性も有する特性から蒸し暑い梅雨や猛暑の夏日でも快適に着用できる特長がある。【選択図】図１
0003161053.tif 000002
【実用新案登録請求の範囲】
【請求項１】
ワイシャツの本体１をガーゼ布で単衣縫製すると共に、襟部５とヨーク部４と前立て部６と袖口部９をさらにガーゼ布でまたは現用シャツ布であるいはこれらの布を組合わせて重合縫製した事を特徴とするガーゼ製ワイシャツ。
【考案の詳細な説明】
【技術分野】
【０００１】  本考案は、蒸し暑い梅雨時また猛暑の夏日を涼しく快適に過ごせるガーゼ製のワイシャツを提供するものである。
【背景技術】
【０００２】  ワイシャツは、カッターシャツあるいはドレスシャツとも呼ばれ、主に男性の背広服の下着として上半身に着用される一種の前開きシャツである。特にワイシャツは、蒸し暑い時期や猛暑が続く暑い日の公式行事や冠婚葬祭時でも基本的にネクタイを締める事を前提に着用されるもので、正装な服装とは言え体温が上昇し流れる汗で周囲の人に不快感を強く感じさせる事もあった。近年、人は暑い夏を涼しく快適に過ごせる時代を強く求める様になり、半袖シャツが多く着用されている。しかしながら、半袖シャツは、抗菌防臭加工や形状安定加工の際に樹脂が繊維間の目地を詰らせるため、通気性が悪い。さらに半袖シャツの上に背広を着込んだ場合は、暑過ぎて、不快感を一層感じる問題があった。この様な問題から、通気性を考慮した多くの種類のワイシャツが開発されている。例えば特許第２７１５９２３号公報の「肩部と腕の脇側部さらに必要によっては胴の脇側部を複数のテープ状物が互いにずれ部分的に重なり合って形成される開口部を設ける重畳構造に作製する事により、体から発し上昇し肩部や腕の脇側さらには脇腹にこもる熱気を開口部から効率的に放出し、清涼感を付与したワイシャツ」、また特開平１１−１２４７０１号公報の「ワイシャツ本体のヨークした部分と袖口のカフス部分を除いた袖部をメッシュ生地で作製する事により、上衣を着ても夏を快適に過ごせるワイシャツ」なども開発されている。
【特許文献１】  特許第２７１５９２３号公報
【特許文献２】  特開平１１−１２４７０１号公報
【考案の開示】
【考案が解決しようとする課題】
【０００３】  しかしながら、上記の様に夏を快適に過ごせる各種のワイシャツが開発されているが、半袖シャツは、腕の汗が上衣に滲み込んで該上衣から悪臭を放つ問題があった。熱を放出させ易い位置に開口部を設けたワイシャツは、熱の放出程度に問題があった。またワイシャツ本体の大部分にメッシュ生地を使用したワイシャツは、外部から肌着が透けて見える問題があった。【０００４】  本考案者は、上記した様に夏日に着用されるワイシャツの諸問題を解消する事を目的に縫製方法や使用する生地について種々検討した結果、ワイシャツの生地にガーゼ布を使用する事によって夏に着用されるワイシャツの問題点が解消される事を知見した。
【課題を解決するための手段】
【０００５】  本考案はこの知見に基づいて構成したもので、その要旨は、ワイシャツの本体をガーゼ布で単衣縫製すると共に、襟部とヨーク部と前立て部と袖口部をさらにガーゼ布でまたは現用シャツ布であるいはこれらの布を組合わせて重合縫製したガーゼ製のワイシャツである。
【考案の効果】
【０００６】  本考案のワイシャツは、綿糸で目粗く織った薄手の柔らかい平織りのガーゼ布で縫製されているため、汗を吸着しまた通気性がよく速乾性も有する特性から蒸し暑い梅雨や猛暑の夏日でも快適に着用できる特長がある。
【考案を実施するための最良の形態】
【０００７】  以下、本考案のガーゼ製ワイシャツについて、図面を参照しながら詳細に説明する。
図１は、本考案の一実施例を正面図で示す。図１において、１は、ワイシャツの本体を示す。ワイシャツ本体１は後身頃（図示せず）に左右の前見頃部２と両袖部３とヨーク部４さらに襟部５と前立て部６らを一体的に縫い合わせ、さらに前身頃部２の前立て部６に前ボタン７とポケット８を取り付けて着用される前開きデザインのワイシャツに縫製したもので、必要によっては袖口９にカフス部１０を付けてもよい。すなわち、本考案におけるワイシャツ本体１のデザインは、特に限定するものでない。さらに本考案は、ワイシャツ本体１はガーゼ布で単衣縫製すると共に、襟部５とヨーク部４と前立て部６と袖口部９らは着用中の型崩れを防止するため単衣ガーゼの重ね折りで縫製してもよくまた麻布や綿布やポリエステルとの混紡繊維など現在ワイシャツに使用される生地すなわち現用シャツ布で縫製してもよくあるいはこれらの布を任意に重合わせて厚目に縫製してもよい。【０００８】  ガーゼ布は綿糸を目粗く織った吸湿性に優れた粗製織物で、乳児の肌着やハンカチーフやタオルなどの衣料用にまた傷口手当用の医療用などに多く使用されている。本考案はガーゼ布の吸湿性や通気性など特性を利用したもので、縫製されたワイシャツは肌触りがよく通気性もよいため汗をかき易い夏の衣服として最適である。
【産業上の利用可能性】
【０００９】  上記の様にガーゼで縫製された本考案のワイシャツは通気性がよくまた吸湿性もよいため蒸し暑い梅雨や猛暑の夏日でも快適に過ごす事ができる。また特に通気性がよいため、汗を吸湿したワイシャツは速乾性にも優れているため周囲に汗の悪臭を漂わす事もない。さらに洗濯しても直ちに乾燥し早い時期に着用できるなどの利点から、今後多くのサラリーマンに着用されるものと思われる。
【図面の簡単な説明】
【００１０】
【図１】本考案ワイシャツの一実施例を示した正面図である。
【符号の説明】
【００１１】  １  ワイシャツの本体
２  前身頃部
３  袖部
４  ヨーク部
５  襟部
６  前立て部
７  前ボタン
８  ポケット
９  袖口部
１０  カフス部
【図１】
0003161053.tif 000003
【手続補正書】
【提出日】平成22年4月20日(2010.4.20)
【手続補正１】
【補正対象書類名】実用新案登録請求の範囲
【補正対象項目名】請求項１
【補正方法】変更
【補正の内容】
【請求項１】
ワイシャツの本体１をガーゼ布で単衣縫製すると共に、襟部５とヨーク部４と前立て部６と袖口部９をさらにガーゼ布でまた麻布・綿布・ポリエステルとの混紡繊維であるいはこれらの布を組み合わせて重合縫製した事を特徴とするガーゼ製ワイシャツ。
【手続補正２】
【補正対象書類名】明細書
【補正対象項目名】０００５
【補正方法】変更
【補正の内容】
【０００５】  本考案はこの知見に基づいて構成したもので、ワイシャツの本体をガーゼで単衣縫製すると共に、襟部とヨーク部と前立て部と袖口部をさらにガーゼ布でまた麻布・綿布・ポリエステルとの混紡繊維であるいはこれらの布を組み合わせて重合縫製したガーゼ製のワイシャツである。
(57)【要約】      （修正有）【課題】刻んだ肉、魚、野菜などの食材を、まな板からこぼさずに、鍋、皿、ボール、フライパンにいれ易く、又、まな板のまわりから外にこぼさないようなまな板を提供する。【解決手段】ポリプロピレン等の樹脂製薄板で長方形のまな板１を設け、該まな板１の右端の平面部に楕円、四角、円形等の各種形状に内側を円状化又はカットした穴２を設け、まな板１の右端、左右の各コーナー部３、４の細く加工した各先端部の羽を店頭に並べた時に重ねられるように（１１０度位が良い）９０度以上に開くように折り曲げ、まな板１の長手方向中心部左端部に丸穴７を設けて便利まな板を構成する。【選択図】図１
0003161058.tif 000002
【実用新案登録請求の範囲】
【請求項１】
ポリプロピレン等の樹脂製薄板等で長方形のまな板１を設け、該まな板１の右端の平面部に楕円、四角、円形等の各種形状に内側を円状化又はカットした穴２を設け、まな板１の右端、左右の各コーナー部３、４の細く加工した各先端部の羽５、６を直角に折り曲げ、まな板１の長手方向中心部左端部に小さな丸穴７を設けたことを特徴とする便利まな板。
【請求項２】
本考案は、樹脂製薄板で長方形のまな板、右端の左右の先端部に２枚の羽を付ける事により、カットした食材をボールや鍋等に移すとき、食材が両端からこぼれるのを防ぎ、まな板の右端部を内側に円状化、又はカットすることで、カットした食材をすばやくボールや鍋などへ落下させ、移す事が出来る事を特徴とする請求項１記載の便利まな板。
【請求項３】
本考案は、まな板全体をピンク色（なでしこ色）にして、「美肌まな板  ピンク色は肌にうるおいを与えます」「ピンク色（なでしこ色）に美肌効果があることは色彩心理学によりみとめられています」という文字を印刷する又は型に彫刻する事を特徴とする請求項１又は２記載の便利まな板。
【考案の詳細な説明】
【技術分野】
【０００１】  本考案は、一般な家庭で使用される肉、魚、野菜、果物等の調理用まな板に関する。
【背景技術】
【０００２】  従来は、一般的に良く使用されているまな板には、木製、合成樹脂製等が主流であるが、近年、樹脂板を使用した薄いまな板、使い捨てのまな板なども出願され、又、市販されるようになった。
【特許文献１】特許公開２０００−３１６７３４
【特許文献２】特許公開平２００５−１２４８９７
【０００３】  しかし、全てのまな板が形状が長方形で、同じであり、切り刻んだ肉、魚、野菜等の食材を鍋、皿、ボール、フライパンに入れるさい、まな板からこぼれる事が多く、不便を感じ、又、神経を使っていた。
【考案の開示】
【考案が解決しようとする課題】
【０００３】  そこで、この考案は、上記課題を達成する為に、刻んだ肉、魚、野菜などの食材を、まな板からこぼさずに、鍋、皿、ボール、フライパンにいれ易いように、又、まな板のまわりから外にこぼさないようなまな板を開発、提供することにある。
【問題を解決するための手段】
【０００４】  本考案は、  ポリプロピレン等の樹脂製薄板で長方形のまな板を設け、該まな板の右端の平面部に楕円、四角、円形等の各種形状に内側を円状化又はカットした穴を設け、まな板の右端部、左右の各コーナー部の細く加工した各先端部の羽、を直角に内側に折り曲げ、まな板の長手方向中心部左端部に小さな丸穴を設けた便利まな板を提供する。
【考案の効果】
【０００５】  この考案の効果は、まな板上でカットした食材を、ボールや鍋やフライパン等に移すとき、食材が全くこぼれず、更にスムーズに、さらに速やかに食材を移すことである。これは、本考案における２つのアイデア、即ち、まな板右端についた２つの羽と、まな板右端を、内側に円状化する事によって得ることが出来る最大の効果である。つまり、まな板右端についた羽によって食材がこぼれるのを防ぎ、まな板右端を内側に円状化する事によって、食材を早くボールや鍋やフライパンなど落下（移す）事ができるる。即ち、カットした食材がまな板右端に滞留するのを防ぐ大きな効果がある。
【考案を実施するための最良の形態】
【０００６】  ポリプロピレン等の樹脂製薄板で長方形のまな板１を設け、該まな板１の右端の平面部に楕円、四角、円形等の各種形状に内側を円状化又はカットした穴２を設け、まな板１の右端、左右の各コーナー部３、４の細く加工した各先端部の羽５、６を重ねられる角度９０度以上に折り曲げ、まな板１の長手方向中心部左端部に丸穴７を設けた便利まな板。
本考案は、以上のような構成になっている。
【図面の簡単な説明】
【０００７】
【図１】まな板の平面図
【図２】まな板の右側面図
【図３】まな板の正面図
【図４】まな板の他の切抜き形状Ａの平面図
【図５】まな板の他の切抜き形状Ｂの平面図
【図６】まな板の他の切抜き形状Ｃの平面図
【図７】まな板の他の切抜き形状Ｄの平面図
【図８】まな板の他の切抜き形状Ｅの平面図
【図９】まな板の他の切抜き形状Ｆの平面図
【符号の説明】
【０００８】    １  まな板
２  穴（円状化）
３  右コーナー部
４  左コーナー部
５  右羽
６  左羽
７  丸穴
【図１】
0003161058.tif 000003
【図２】
0003161058.tif 000004
【図３】
0003161058.tif 000005
【図４】
0003161058.tif 000006
【図５】
0003161058.tif 000007
【図６】
0003161058.tif 000008
【図７】
0003161058.tif 000009
【図８】
0003161058.tif 000010
【図９】
0003161058.tif 000011
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
ポリプロピレン又は弾性変形可能な樹脂製薄板の長方形のまな板１を設け、該まな板１の右端の平面部に楕円、四角、円形の各種形状の内側を円状化又はカットした孔２を設け、まな板１の右端、左右の角コーナー部３，４の細く加工した各先端部の羽５，６を重ねられる角度以上に折り曲げ、まな板１の長手方向中心部左端部に小さな丸穴７を設けたことを特徴とする便利まな板。
【請求項２】
弾性変形可能な樹脂製薄板の長方形のまな板を設け、そのまな板の右端の左右の先端部に２枚の羽をつけたことを特徴とする請求項１記載の便利まな板。
【請求項３】
まな板全体をピンク色、又はなでしこ色にして、美肌まな板  ピンク色は肌にうるおいをあたえ、ピンク色、又はなでしこ色に美肌効果があることは色彩心理学によりみとめられています、という文字を印刷するか、又は彫刻することを特徴とする請求項１又は２記載の便利まな板。
(57)【要約】【課題】  人体の腰部又は背中に当て、身体の良好な状態を維持・回復するための健康器具を提供する。【解決手段】  矩形平板の台座の平面部に、断面が略半円形の複数の棒状体を、該半円形部を突出させて前記台座の奥行き方向に平行で幅方向に等間隔に配設した構造とし、前記半円形部の側を人体の腰部又は背中に当て、人体の自重を利用した押圧により指圧状態を得る腰枕式健康器具。【選択図】図１
0003161086.tif 000002
【実用新案登録請求の範囲】
【請求項１】
矩形平板の台座の平面部に、断面が略半円形の６又は８又は１０個のそれぞれの棒状体を、該半円形部を突出させて前記台座の奥行き方向に平行で幅方向に等間隔に配設した構造とし、前記棒状体の側を人体の腰部又は背中に当て、人体の自重を利用した押圧により指圧状態を得ることを特徴とした腰枕式健康器具。
【請求項２】
矩形平板の台座の平面部に、断面が略半円形の６又は８又は１０個のそれぞれの棒状体を、該半円形部を突出させて前記台座の奥行き方向に平行で幅方向に等間隔に配設し、前記台座が、幅３２〜３８ｃｍ、奥行き１６〜２２ｃｍ、高さ１．５〜３ｃｍであり、前記棒状体の断面の半円形が、半径０．７〜１ｃｍ、高さ０．７〜１．５ｃｍであって、長さが前記台座の奥行き寸法と略同一の棒状とした構造とし、前記棒状体の側を人体の腰部又は背中に当て、人体の自重を利用した押圧により指圧状態を得ることを特徴とした腰枕式健康器具。
【考案の詳細な説明】
【技術分野】
【０００１】  本考案は、人体の腰部又は背中に当て、身体の良好な状態を維持・回復するための健康器具に関する。
【背景技術】
【０００２】  これまで、床面に設置し横たわった人体の腰部に当てて腰部障害の治癒や腰部の正常な健康維持を目的とした健康器具は各種のものが考えられており、例えば台板に円面棒状の突起部を設けた例が開示されている（例えば、特許文献１参照）。また、床面設置型ではない方式で、平板に半円筒状の突出部を設けた例が開示されている（例えば、特許文献２参照）。
【先行技術文献】
【特許文献】
【０００３】
【特許文献１】特開２００６−３４９０４号公報（第４頁、図１）
【特許文献２】実用新案登録第３１１２１６０号公報（第７頁、図１）
【考案の概要】
【考案が解決しようとする課題】
【０００４】  各人は、身長、体重等さまざまに違いがあるため、何時でも何処でも利用できる手軽な腰揉み器具がなく不快な状態を解消できないでいる。そこで本考案はそれぞれの人体ごとに適合する健康器具を提供することを目的とする。
【課題を解決するための手段】
【０００５】  矩形平板の台座の平面部に、断面が略半円形の６又は８又は１０個のそれぞれの棒状体を、該半円形部を突出させて前記台座の奥行き方向に平行で幅方向に等間隔に配設した構造とし、前記棒状体の側を人体の腰部又は背中に当て、人体の自重を利用した押圧により指圧状態を得ることを特徴とした腰枕式健康器具とする。【０００６】  より具体的には、矩形平板の台座の平面部に、断面が略半円形の６又は８又は１０個のそれぞれの棒状体を、該半円形部を突出させて前記台座の奥行き方向に平行で幅方向に等間隔に配設し、前記台座が、幅３２〜３８ｃｍ、奥行き１６〜２２ｃｍ、高さ１．５〜３ｃｍであり、前記棒状体の断面の半円形が、半径０．７〜１ｃｍ、高さ０．７〜１．５ｃｍであって、長さが前記台座の奥行き寸法と略同一の棒状とした構造とし、前記棒状体の側を人体の腰部又は背中に当て、人体の自重を利用した押圧により指圧状態を得ることを特徴とした腰枕式健康器具とする。
【考案の効果】
【０００７】  本考案は、主に腰周辺及び背中部分まで、人体の自重を利用した押圧により、適宜移動させながら、身体を押し上げ揉み上げる状態を図り指圧状態とし、腰及び背中部体のつぼを刺激し良好な状態を維持・回復するための健康器具を提供するものである。
上述のように、本考案は各人の自重を利用するものであるため、身体に過度の負担をかけることなく、また利用者がそれぞれに合った状態で使用でき、安全性に優れており長時間使用することができる。
【図面の簡単な説明】
【０００８】
【図１】本考案の健康器具全体の形状を表す斜視図である。
【図２】本考案の台座に取り付けた棒状体の詳細を示す断面図である。
【考案を実施するための形態】
本考案の健康器具を使用する際は、使用者は、横たわった人体の腰部又は背中に、複数の棒状体の方向を背筋方向に沿わせて当てがい、腰部又は背中を左右に動かしたり、身体を押し上げ揉み上げる状態を図り指圧状態とし、身体を刺激し血行をよくして腰部又は背中の障害の治癒や正常な健康維持を図る。また、椅子類や車の座席などにおいても、腰部又は背中に当てがい同様の効果を期待することもできる。
【実施例】
【０００９】  以下、本考案による実施例を図１〜図２によって詳細に説明する。
図１は本考案による実施例の健康器具の全体を斜視図で示す。人体の腰部のおおよその大きさの幅Ｗと奥行きＤの矩形で高さＨの台座１１に、断面が半径ｒの半円形の複数の棒状体１２を奥行き方向に設置し適宜間隔をあけて配設したものである。この棒状体は、望ましくは６又は８又は１０個が良い。台座の大きさは、幅Ｗは３２〜３８ｃｍ、奥行きＤは１６〜２２ｃｍ、高さＨは１．５〜３ｃｍが望ましい。【００１０】  図２に本考案の台座１１の上面に配設した棒状体１２の詳細を示す。この棒状体は台座１１の上面に接着あるいは着装して固定しても、台座と一体で成形してもかまわない。この半円形の棒状体１２の断面形状は、正確な半円でなくてもよく、半径ｒは０．７〜１ｃｍ、台座表面からの高さｈは０．７〜１．５ｃｍ、長さは前記台座の奥行き寸法Ｄと略同一の棒状とした形状が望ましい。【００１１】  台座又は棒状体の材質は木製であってもプラスチックスなどの高分子材料であってもよい。
また、当該品全体は布やタオル地による外装袋で覆って使用してもよい。
【符号の説明】
【００１２】１１  台座
１２  棒状体
【図１】
0003161086.tif 000003
【図２】
0003161086.tif 000004
(57)【要約】      （修正有）【課題】めん、具共により均一に調理できるカップめんを提供する。【解決手段】めんの中心部に穴を設ける。【選択図】図１
0003161083.tif 000002
【実用新案登録請求の範囲】
【請求項１】
めんの中心部に穴があることを特徴とするカップめん。
【考案の詳細な説明】
【技術分野】
【０００１】本考案はカップめんに関するものである。
【背景技術】
【０００２】カップめんは便利でおいしいものであるが、熱湯を入れて調理後調理ムラがあり、特に具に於いては食べてかたいものがあった。
【考案の概要】
【考案が解決しようとする課題】
【０００３】カップめんのめんと具が均一にムラなく調理されるようにめんの形を変え前述の欠点を解決しようとするものである。
【課題を解決するための手段】
【０００４】本考案はめんの中心部に穴を設ける事により具材が中に入り熱湯を入れることによりカップの上．下．中心部に熱湯が広がりめん．具共に均一に調理できるものである。
【考案の効果】
【０００５】上記の様に本考案のカップめんは現在のカップめんの様に上と下から調理され具がめんの上にのっているものに較べて上．下．中心から調理できるためめん．具共に均一に調理できるものである。
【図面の簡単な説明】
【０００６】
【図１】本考案のカップめんの断面図である。
【図２】本考案のめんの全体図である。
【考案を実施するための形態】
【０００７】本考案のカップめんは現在のカップめんのカップに適応するものである。
【実施例】
【０００８】以下添付図面に従って一実施例を設明する。
Ａのカップに熱湯を入れる事によりめんと具がＤ．Ｅ．Ｃの上．下．中心から調理されムラのない均一な調理ができる。
【符号の設明】
【０００９】Ａ      カップ
Ｂ      めん
Ｃ      めんの中心部の穴
Ｄ      めんの上
Ｅ      めんの下
【図１】
0003161083.tif 000003
【図２】
0003161083.tif 000004
(57)【要約】      （修正有）【課題】体調維持や健康回復に効果のあるメガネフレームを提供する。【解決手段】メガネフレームの 鼻当てパッド、テンプル、耳当て部材の肌に接する部分の少なくとも一箇所に、円錐状のツボ刺激用突起を設けた。ツボ刺激用突起が形成されているこのメガネフレームを装着すると、ツボ刺激用突起が装着者のツボを刺激し、体調を整え、疲労の回復、健康の増進が得られる。特に、頭部は体調の維持増進に密接に関連する重要なツボが多く点在しているが、ツボ刺激用突起はメガネフレームに隠れているので外側からは目立たず、外観上違和感がなく、このメガネフレームを装着するだけで、頭部のツボを手軽に刺激することが出来、極めて便利である。【選択図】図１
0003161001.tif 000002
【実用新案登録請求の範囲】
【請求項１】
鼻当てパッド、テンプル、耳当て部材の肌に接する部分の少なくとも一箇所に、円錐状のツボ刺激用突起を設けたことを特徴とするメガネフレーム。
【考案の詳細な説明】
【技術分野】
【０００１】
この考案はメガネフレーム、詳しくは、体調維持や健康回復に効果のあるメガネフレームに関するものである。
【背景技術】
【０００２】
メガネは視力矯正の為になくてはならない矯正具であり、多くの人が常用している。
【先行技術文献】
【特許文献】
【０００３】
【特許文献１】なし
【非特許文献】
【０００４】
【非特許文献１】なし
【考案の概要】
【考案が解決しようとする課題】
【０００５】
メガネは視力矯正のため、常時装用するのが常であり、頭部に接するものであるので、視力矯正の用だけではなく、他の健康増進の為の媒体として利用する試みも従来より広く行われており、いくつか提案されているが、十分な効果の認められるものは見当たらなかった。本願考案者は、上記メガネの特性に着目し、メガネを健康増進の用に供すべく研究を行った結果、コリや痛みの軽減などに著しい効果がある便利なメガネフレームを開発することに成功し、本考案としてここに提案するものである。
【課題を解決するための手段】
【０００６】
鼻当てパッド、テンプル、耳当て部材の肌に接する部分の少なくとも一箇所に、円錐状のツボ刺激用突起を設けてメガネフレームを構成することにより、上記課題を解決した。
【考案の効果】
【０００７】
ツボ刺激用突起が形成されているこのメガネフレームを装用すると、ツボ刺激用突起が装用者のツボを刺激し、体調を整え、疲労の回復、健康の増進が得られる。特に、頭部は体調の維持増進に密接に関連する重要なツボが多く点在しているが、ツボ刺激用突起はメガネフレームに隠れているので外側からは目立たず、外観上違和感がなく、このメガネフレームを装用するだけで、頭部のツボを手軽に刺激することが出来、極めて便利である。
【図面の簡単な説明】
【０００８】
【図１】この考案に係るメガネフレームの一実施例の斜視図。
【図２】同じく、ツボ刺激用突起５が固定されている部分の拡大斜視図。
【図３】同じく、ツボ刺激用突起５を予め別体として形成した場合のツボ刺激用突起５の拡大斜視図。
【図４】同じく、ツボ刺激用突起５をチューブ７に固定した場合の拡大斜視図。
【図５】同じく、ツボ刺激用突起５を耳当て固定補助具に固定した場合の拡大斜視図。
【考案を実施するための形態】
【０００９】
メガネフレームの鼻当てパッド、テンプル、耳当て部材の肌に接する部分の少なくとも一箇所に、円錐状のツボ刺激用突起を設ける点に最大の特徴が存する。
【実施例】
【００１０】
図１はこの考案に係るメガネフレームの実施例の斜視図である。図中、１はメガネフレーム本体を示し、このメガネフレーム１は鼻当てパッド２，テンプル３、耳当て部材４などから構成されている。
そして、鼻当てパッド２、テンプル３、耳当て部材４など、装用者の肌に接する部分の所望位置には、円錐形をなし、先端がとがったツボ刺激用突起５が形成されている。
なお、図２はこのツボ刺激用突起５を拡大して描いた斜視図である。
【００１１】
このツボ刺激用突起５の基部の直径は２〜５ｍｍ程度、高さは１〜３ｍｍ程度であり、この実施例においては、ツボ刺激用突起５は鼻当てパッド２、テンプル３、耳当て部材４などと一体に形成されているが、図３に示す様に、別体となったツボ刺激用突起５を予め形成しておき、これを鼻当てパッド２、テンプル３、鼻当て部材４等に固定する様にしても良く、その場合は硬質シリコーン樹脂に「プラウシオン」（商品名）等の遠赤外線放射機能を有するセラミックス粉を混入せしめたものによって形成しても良い。
【００１２】
又、この実施例においては、ツボ刺激用突起５は、鼻当てパッド２、テンプル３、耳当て部材４のすべての部材に形成したが、これら各部材の少なくとも１つ以上に形成しても良いことはもちろんである。
【００１３】
更に、図４に示す様に、軟質合成樹脂製のチューブ７の外周に、ツボ刺激用突起５を固定し、このチューブ７をテンプル３や耳当て部材４に被せる様にしても良く、更には、図５に示す様に、耳当て部材４に取付ける耳当て固定補助具８などのメガネフレーム補助部品にツボ刺激用突起５を固定しても良く、これらの場合には既存のメガネフレーム１に後から取付けることが出来る。
【００１４】
この実施例は、上記の通りの構成を有するものであり、ツボ刺激用突起５が形成されているメガネフレーム１を装用すると、ツボ刺激用突起５が装用者のツボを刺激し、体調を整え、疲労の回復、健康の増進が得られる。特に、頭部は体調の維持増進に密接に関連する重要なツボが多く点在しているが、ツボ刺激用突起５はメガネフレーム１に隠れているので外側からは目立たず、外観上違和感がなく、このメガネフレームを装用するだけで、頭部のツボを手軽に刺激することが出来、極めて便利である。
【産業上の利用可能性】
【００１５】
メガネフレームの分野において利用可能である。
【符号の説明】
【００１６】
１．メガネフレーム
２．鼻当てパッド
３．テンプル
４．耳当て部材
５．ツボ刺激用突起
７．チューブ
８．耳当て固定補助具
【図１】
0003161001.tif 000003
【図２】
0003161001.tif 000004
【図３】
0003161001.tif 000005
【図４】
0003161001.tif 000006
【図５】
0003161001.tif 000007
(57)【要約】      （修正有）【課題】確実に安全に装着できる着脱容易なガイド付きシートベルトを提供する。      【解決手段】バックルとタングの結合する部分を湾曲させ、バックルにベルトを取り付け、バックルを収納位置から運転手の体の正面まで引き出し可能とした。【選択図】図５
0003161061.tif 000002
【実用新案登録請求の範囲】
【請求項１】
着脱容易なガイド付きシートベルトに関する技術であって、車の発車前には、シートベルトを装着して車の発車を始めなくてはならないと、法律的には義務づけられているが、安全上必要と考えられたシートベルトが非常に締めにくいための原因はバックルが動かないことと、バックルとタングの結合した点が直線的になっている為でバックルを移動する事と、結合する部分を湾曲する事により、シートベルトが運転手の体の正面で締める事のできる、着脱容易なガイド付きシートベルト。
【考案の詳細な説明】
【技術分野】
【０００１】
本考案は、運転手が車を発進する前に、シートベルトをするが、助手席側に体を捻る為、非常に締め難い。
【背景技術】
【０００２】
現在、運転手は車の発進前にシートベルトをしないで、発進すれば法律違反になり減点対象になるが、現実には乗車して直ぐ運転して仕舞いシートベルトを忘れた事に気が付き締めようとするが、運転中は締め難い為運転に集中できず非情に危険である。
【考案の概要】
【考案が解決しようとする課題】
【０００３】
本考案は、未着検挙の場合の言い訳となり改善が必要である。
【課題を解決するための手段】
【０００４】
本考案は、現在法律的に義務づけられているシートベルトが非常に締めにい上にも拘らず、未着の場合は検挙され、減点対象になる為、実情は面倒臭いがしている状態であるが非情に高度で安全性を重要視した。現状のシートベルトはタングが動き、バックルは不動の為上半身を捻り、タングとバックルを結合する事で機能が発揮できる上結合部分が直線的な構造の為締め難い、そのためバックルを動くようにし、タングとバックルの結合部も体に合わせて湾曲させる事で体の正面で締める様にし、その上結合後手を離せばベルトは、バックル側に引き寄せられ納入口に納入されロックして止まる。
【考案の効果】
【０００５】
上述のように、シートベルトの締めにくい原因はバックル側が、固定されていることとタングとバックルが直線的に結合している事であって、バックル側を移動可能にし、タングとバックルを湾曲させ正面で結合することで不具合は解消し、シートベルトは両手で装着する為、忘れたからと言って運転中は締める事は出来無いため、車を停車して動作をする事により確実な安全性を確保する事ができる。
【図面の簡単な説明】
【０００６】
【図１】タング部分
【図２】バックル部分
【図３】タング２の横からの図
【図４】バックル３と１１の内部のタングとの結合部分の横からの図
【図５】バックルが１０のベルト収納口に収まり８と９が７のバックル      部分を覆い自然にロックした形になる
【図６】バックルが収まっている時の助手席側からの図
【図７】バックルが収まっている時の運転手側からの図
【図８】バックルの上部からの図
【図９】床に取り付けるバックルを覆う８や９を取り付ける器具
【考案を実施するための形態】
【０００７】
現在の、３点式シートベルトでは、固定してあるバックル側は別としてドア側      に当たる所は、普段はフリー状態で荷重が掛かった時のみロックされる仕組みになっている為、発車前にはタングは自由に動くのでバックル側を動くようにすればベルトは体の正面で結合する事が出来る、残る課題は動く様にしたバックルと結合したタングが、フリーの為バックルを元の位置に引き戻す力で充分にバックルを元の収納位置まで持って来てロックする事が出来る。
【実施例】
【０００８】
以下、確実に安全に装着でき強度の高い技術であることを、添付図面に従って実施例を説明する。
１は上部帯状のベルトであり、２はハング、３はバックル上部のハングを入れるガイドである。４は結合したハングとバックルを開錠するプッシュボタンである、５はバックルの下部のベルトで、６はハングと結合するバックルである、７はバックル本体で、８は２と６が結合した後７が自然に下がり８と９が７を交互に包み込み両側でロックする。１０は床に取り付たバックルの収納部であり、１１はバックル上部のタングの挿入口で、１２は7を止める金具で、13は床に付ける金具、14は13を止めるネジで、12は8，9の開放が旨くいかない時指で開ける為の引っ掛りである。
【符号の説明】
【０００９】
1  帯状シートベルト 
2  タング
3  タング挿入用ガイド部材
4  開錠手段
5  帯状シートベルト
6  タングと結合するバックル
7  バックル
8  バックルを止めるカバー(外側)
9  バックルを止めるカバー(内側)
10  バックル下部の帯状シートベルト収納部
11  タング挿入口
12  バックル最下部の留め金具
13  12の留め金具を床に留める金具
14  13を留めるネジ
15  図8の12がここに入り後からバックルを留める
【図１】
0003161061.tif 000003
【図２】
0003161061.tif 000004
【図３】
0003161061.tif 000005
【図４】
0003161061.tif 000006
【図５】
0003161061.tif 000007
【図６】
0003161061.tif 000008
【図７】
0003161061.tif 000009
【図８】
0003161061.tif 000010
【図９】
0003161061.tif 000011
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
着脱容易なシートベルトであってバックルとタングの結合する部分を湾曲させ、前記バックルにベルトを取り付け、前記バックルを収納位置から運転手の体の正面まで引き出し可能とした着脱容易なシートベルト。
(57)【要約】      （修正有） 【課題】移動が容易で、備蓄量の増量を可能にし、災害発生時にライフラインの確保が迅速で、また避難地への救援物資の運搬が容易な移動可能型救援物質備蓄トレーラーを提供する。【解決手段】牽引トレーラーの上部に救援物資の収納室を有する備蓄倉庫を備え、内部に発電機、食料品、衛生用品、簡易トイレ、電気ストーブ等のライフラインを確保するものを搭載する。【選択図】図３
0003161623.tif 000002
【実用新案登録請求の範囲】
【請求項１】
牽引トレーラーとその上部に救援物資の収納室を有する備蓄倉庫を備え、災害発生時に避難所やこの牽引トレーラー(箱型)の常駐場所にてライフラインを緊急に確保する移動可能型救援物資備蓄トレーラー。
【請求項２】
備蓄倉庫はその底板、天板がテーブル、ベット、ひさしとなる構造を搭載した請求項１記載の移動可能型救援物資備蓄トレーラー。
【請求項３】
備蓄倉庫はその扉が間仕切りとなる構造を搭載した請求項１記載の移動可能型救援物資備蓄トレーラー。
【請求項４】
備蓄倉庫は牽引トレーラーと分離可能な構造とする請求項１記載の移動可能型救援物資備蓄トレーラー。
【考案の詳細な説明】
【技術分野】
【０００１】
この考案は地震などの災害発生時に緊急のライフライン確保の為に、電力の供給、食事の提供、飲料水の供給、浴場の提供、携帯・簡易トイレの提供等が可能となる救援物資備蓄トレーラーに関するものである。
【背景技術】
【０００２】
大地震などの災害発生時には、道路が寸断されることが多く、救急車や消防車等の人命救助の為の車両や、救援物資を積載したトラックやバス又はトレーラーは災害発生場所にすぐに到着することができなかった。
【先行技術文献】
【特許文献】
【０００３】
【特許文献１】特開２００３−１１８４７４号  公報
【考案の概要】
【考案が解決しようとする課題】
【０００４】
しかしながら大震災でも明らかなように、被災者への電力供給、飲料水の供給、食事の提供、浴場及びトイレの提供は最も緊急で重要な課題で、被災者の生活維持の為、最低限のライフラインの早急な確保と提供が、切実・深刻に望まれた。
【０００５】
災害発生時のライフライン確保は災害の発生していない近隣の支援に依存していた為
不衛生な状態や、食事の提供が十分でないなど課題が多かった。
【課題を解決するための手段】
【０００６】
本考案は、発電機及び発電用燃料、飲料水用タンク、食料品、浄水器、カセットコンロ、ラジオ、懐中電灯、電池、調理器具、衛生用品、簡易トイレなどの提供を移動可能型救援物資備蓄トレーラーによって達成することが出来る。
【考案の効果】
【０００７】
本考案の災害時ライフライン対応の移動可能型救援物資備蓄トレーラーは災害発生時の避難場所でのライフライン確保と提供、当該トレーラーを人力等による牽引又は自走により乗り付けることが出来る。
【図面の簡単な説明】
【０００８】
【図１】この考案の一実施形態を示す側面図である。
【図２】この考案の一実施形態を示す前面斜視図である。
【図３】この考案の一実施形態を示す正面斜視図である。
【図４】この考案の一実施形態を示す後面斜視図である。
【図５】この考案の一実施形態を示す側面図である。
【考案を実施するための形態】
【０００９】
以下、本考案の実施形態を図面を参照して詳細に説明する。
【実施例】
【００１０】
図１は本考案の移動可能型救援物資備蓄トレーラーの実施例である。車体は自動車規格に適合したものであり、この牽引トレーラー本体の上部に救援物資の収納室を有する備蓄倉庫２を積載又は設置する。
【００１１】
備蓄倉庫２には災害発生時のライフラインの確保をする為の発電機１０、発電機用燃料１１、飲料水用タンク１２、救急箱１３、食料品箱１４、浄水器１５、カセットコンロ１６、ラジオ・懐中電灯・電池１７、調理器具１８、衛生用品１９、携帯トイレ２０、浄水機２１、を収納しておくものとする。
【００１２】
備蓄倉庫扉３は１８０度後方に開き伸縮自在な後部扉５と直角に固定される。備蓄倉庫扉３に収納されているパネル４を地面方向に出す。後部扉５から地面方向に出るシート、パネルにて簡易的な空間、部屋が作られる。この空間は浴室、シャワー室、簡易トイレとしての使用をしてもよい。
【００１３】
牽引トレーラー本体１は、公園、地域の集会所、役場、学校、公共の施設、マンション、ショッピングモールなどの駐車スペースが確保できる場所に備蓄倉庫として常駐させておき、人力等により移動が容易に行える。また、避難地から離れた場所に常駐していても使用する場所まで自動車で牽引することが出来る。
【００１４】
底板６は、備蓄倉庫２の底板を兼ね発電機１０やカセットコンロ、調理器具１８等の重量物を載置した状態で引き出し使用することが出来る。また、テーブルやベットとしての機能を持つ。、
【００１５】
天板７は、引き出した状態で雨、日差しをしのぐことが出来る。
【００１６】
可変式脚９は備蓄倉庫２の四隅に備え付けてあり、地面に向け可変させそれにて備蓄倉庫２を保持させ、牽引トレーラー１との固定部品を外すことにより、牽引トレーラー１と備蓄倉庫２が分離できる構造となる。
【産業上の利用可能性】
【００１７】
本考案が人口密度、使用予定人数等に合わせ救援物資や救援に必要な装置の増量、増設が可能であるほか、雨水を飲料用水にする為の浄水器を大型化することにより、長期にわたる避難生活に役立つものである。
【符号の説明】
【００１８】
１  牽引トレーラー
２  備蓄倉庫  
３  備蓄倉庫扉  
４  パネル
５  後部扉  
６  底板  
７  天板
８  前部扉
９  可変式脚  
１０  発電機  
１１  発電機用燃料
１２  水タンク
１３  救急箱    
１４  食料品箱
１５  浄水機  
１６  カセットコンロ
１７  ラジオ、懐中電灯、電池  
１８  調理器具  
１９  衛生用品箱
２０  携帯トイレ
【図１】
0003161623.tif 000003
【図２】
0003161623.tif 000004
【図３】
0003161623.tif 000005
【図４】
0003161623.tif 000006
【図５】
0003161623.tif 000007
(57)【要約】      （修正有）【課題】電気製品の損傷を確実に防ぐことが可能な温度ヒューズの導電片の改良を提供する。【解決手段】温度ヒューズ内に設けられるとともに、銅の表面に一層の極薄の銀をめっきしてなる。電気回路にアクシデントが発生し、電気回路の温度が所定の温度より高くなった時、温度感知部材５０は液化し、この時、錐状バネ１５は温度感知部材５０の方向に伸張して銅片１６を押し下げ、それにより、液化した温度感知部材５０は、銅片１６の辺縁から流出する。また、平状バネ１３と錐状バネ１５の間のバランスが崩れて固定力が失われ、平状バネ１３は、導電片４０を押し下げて温度感知部材５０の方向へ移動させる。前ガイド棒２０は、内ブッシング１１に固定されているため移動できず、従って、移動した後の導電片４０と前ガイド棒２０は分離しており、接触していない状態になり、それにより、電流は、前ガイド棒２０に伝わらず、導通状態が解除され、接続されている電気製品の損傷を防ぐ。【選択図】図２
0003161636.tif 000002
【実用新案登録請求の範囲】
【請求項１】
温度ヒューズ内に設けられるとともに、銅の表面に一層の極薄の銀をめっきしてなることを特徴とする温度ヒューズの導電片の改良。
【考案の詳細な説明】
【技術分野】
【０００１】
本考案は温度ヒューズの導電片の改良に関する。
【背景技術】
【０００２】
図１と図２に示すように、温度ヒューズの構造は、一端が開口の銅材質ケース１０内に、粉状に圧縮された形態の温度感知部材５０を設けるとともに、温度感知部材５０を銅片１６で覆い、銅片１６の上に錐状バネ１５を設け、錐状バネ１５の上にさらに銅片１４を設けた後、銅片１４の上に導電片４０を設ける。導電片４０は、円板状本体４１の周囲が上方へ弧状に延伸して複数の爪状部材４２を形成してなり、各爪状部材４２はケース１０内壁面と接触する。また、銅製の前ガイド棒２０の一端を、セラミック製の絶縁性をもつ内ブッシング１１内に差込む。その時、係止リング２１によって内ブッシング１１に係止され、前ガイド棒２０の一端の一部は内ブッシング１１の外に露出する。さらに、内ブッシング１１の一端に平状バネ１３を設けた後、内ブッシング１１をケース１０内に配置するとともに、前ガイド棒２０と平状バネ１３を導電片４０の本体４１面上に当接させ、ケース１０の外に露出した前ガイド棒２０に外ブッシング１２を嵌合させ、絶縁性をもつ接着剤で、ケース１０の開口を密閉するとともに、内ブッシング１１と外ブッシング１２を一体に連結し、最後に、後ガイド棒３０の一端を、リベット７０を用いてケース１０の他端にリベット接合する。以上により、温度ヒューズが形成される。
【０００３】
この種の温度ヒューズの一実施形態を図２に示す。温度ヒューズは、前ガイド棒２０と後ガイド棒３０によって電源の導線上に連結され、電流は、後ガイド棒３０からケース１０を通り導電片４０に伝わり、さらに、導電片４０と接触する前ガイド棒２０に伝わることで、電源が導通する。電気回路にアクシデントが発生し、電気回路の温度が所定の温度より高くなった時、温度感知部材５０は液化し、この時、錐状バネ１５は温度感知部材５０の方向に伸張して銅片１６を押し下げ、それにより、液化した温度感知部材５０は、銅片１６の辺縁から流出する。また、平状バネ１３と錐状バネ１５の間のバランスが崩れて固定力が失われ、平状バネ１３は、導電片４０を押し下げて温度感知部材５０の方向へ移動させる。前ガイド棒２０は、内ブッシング１１に固定されているため移動できず、従って、移動した後の導電片４０と前ガイド棒２０は分離しており、接触していない状態になり、それにより、電流は、前ガイド棒２０に伝わらず、導通状態が解除され、接続されている電気製品の損傷を防ぐ。、当然、導通状態が解除された後のヒューズは二度と使用できない。
【０００４】
しかしながら、実際の使用上、前述した温度ヒューズは、突発的な電流の過多が発生したときに電気の銅通状態を解除できないことが頻繁に起こる。研究結果によると、その主要な原因は、導電片４０にある。前述した温度ヒューズの導電片４０は、銀や銀合金によってなる。銅ケースと銀の熱膨張係数は異なる上、銀の耐熱度は低いため、ヒューズの電流過多により温度が上がった時に、温度感知部材５０は液化するものの、導電片４０は軟化して変形して移動できなくなり、ヒューズは電気の導通を解除できなくなる。
【考案の概要】
【考案が解決しようとする課題】
【０００５】
そこで、本考案は、電気製品の損傷を確実に防ぐことが可能な温度ヒューズの導電片の改良を提供することを目的とする。
【課題を解決するための手段】
【０００６】
本考案による温度ヒューズの導電片の改良は、温度ヒューズ内に設けられるとともに、銅の表面に一層の極薄の銀をめっきしてなる。
【図面の簡単な説明】
【０００７】
【図１】温度ヒューズの構造を示した分解図である。
【図２】温度ヒューズの構造を示した断面図である。
【図３】温度ヒューズの導電片を上から見た図である。
【図４】温度ヒューズの導電片を横から見た図である。
【考案を実施するための形態】
【０００８】
図３と図４を参照する。本考案による温度ヒューズの導電片の改良は、銅の表面に一層の極薄の銀をめっきしてなる。銅の材質は、銀や銀合金と比べて、融点が高く、変形しにくく、しかもヒューズの銅ケースと膨張係数も同じであるため、導電片４０の爪状部材４２の硬度と耐熱度が向上する。それにより、従来の導電片が高温により軟化し、各爪状部材が変形して機能しなくなり、温度ヒューズが本来の効果を発揮できないという欠点を解決し、ヒューズの実用性を高めることができる。
【符号の説明】
【０００９】
１０    ケース    
１１    内ブッシング    
１２    外ブッシング    
１３、１５  バネ    
１４、１６  銅片
２０    前ガイド棒      
３０    後ガイド棒    
４０    導電片    
４１    本体    
４２    爪状部材  
５０    温度感知部材  
６０    接着剤    
７０    リベット
【図１】
0003161636.tif 000003
【図２】
0003161636.tif 000004
【図３】
0003161636.tif 000005
【図４】
0003161636.tif 000006
(57)【要約】      （修正有）【課題】乾スパゲッティを簡単に手際よく量れるスパゲッティ計量器を提供する。【解決手段】両サイドの開いている一定の長さのある樋状のもので、上部開口部に向かって漸次幅が広くなりかつ設置したとき開口部両側の高さが同じになるように台がついている。また同じ長さで両サイドが開いている、直径が異なる大小二つの樋状のもの１，２で、それぞれの樋状のものは上部開口部５に向かって漸次幅が広くなり底面同士４を結合する。【選択図】図１
0003161691.tif 000002
【実用新案登録請求の範囲】
【請求項１】
両サイドの開いている一定の長さのある樋状のもので、上部開口部に向かって漸次幅が広くなりなおかつ設置したときに開口部両側の高さが同じになるように台がついていることを特徴とするスパゲッティ計量器。
【請求項２】
同じ長さで両サイドが開いている、直径が異なる大小二つの樋状のもので、それぞれの樋状のものは上部開口部に向かって漸次幅が広くなり底面同士を結合した計量器であって、片方にて計量するときは開口部両側の高さが同じになる様にもう片方が台になり、上下をひっくり返すことで容量の異なるスパゲッティを量ることができることを特徴とするスパゲッティ計量器。
【考案の詳細な説明】
【技術分野】
【０００１】
本考案は乾スパゲッティの簡便な計量器に関する。
【背景技術】
【０００２】
従来乾スパゲッティの計量方法は、秤に載せて量るか、特許文献に記載されたように穴に乾スパゲッティを貫挿することで量る計量器である。秤に載せて量る方法は秤に直に載せるとスパゲッティがばらけて転がり落ち、秤に容器を載せてその容器にスパゲッティを入れて量るとスパゲッティが長いので安定が悪くひっくり返るという問題があった。
また一定の穴に貫挿させてはかる方法は、穴の大きさに合わせるのに手間がかかるという問題もあった。
【先行技術文献】
【特許文献】
【０００３】
【特許文献１】特開2002−233464号公報
【考案の概要】
【考案が解決しようとする課題】
【０００４】
秤で量るときに長いスパゲッティが安定して量れるようにすることが可能なスパゲッティ計量器を提供する。
【０００５】
また、一定量のスパゲッティを簡単に量れるようにすることも可能となる。    
【課題を解決するための手段】
【０００６】
両サイドが開いている一定の長さのある樋状のもので上部開口部に向かって漸次幅が広くなりなおかつ、設置したときに開口部両側のの高さが同じ高さになるように台がついているスパゲッティ計量器である。
【０００７】
あるいは、樋の太さの大小を変えることで秤で量らなくても定量を即座に量れるスパゲッティ計量器とすることができる。
【考案の効果】
【０００８】
両サイドが開いていて上部開口部が広いのでスパゲッティを充填しやすく水平にならすことで定量をはかれる。
【図面の簡単な説明】
【０００９】
【図１】半円筒型スパゲッティ計量器の斜視図
【図２】多人数用スパゲッティ計量器の斜視図
【考案を実施するための形態】
【００１０】
図１は材質は耐久性のプラスチックで、長さ10センチ程度の大小二つの両サイドの開いている樋状の筒からなり、片方１は一人分もう片方２は二人分量れるものである。大小二つの半円筒の円周３をそれぞれ二等分した底点４で開口部５が外側になるように二本の半円筒が結合されている。一人分計量するときは二人分計量部が台となり、スパゲッティを充填して開口部ですりきることで一人分が計量できる。スパゲッティ計量器を上下ひっくり返すことで、二人分を量ることができる
【００１１】
図2は多人数用で材質は耐久性の透明あるいは半透明のプラスチックで、長さ10センチ程度の両サイドの開いているＶ字型の樋状の筒６で、開口部７よりスパゲッティを充填し両側面の目盛り８に合わせて量を量る。スパゲッティ計量器に充填して量ったスパゲッティの下に手が入るように設置面から２〜３センチ以上持ち上がりＶ字が垂直に立つように足９がついている。両側面に分量ごとに印を付けることで色々な分量に対応できる
【産業上の利用可能性】
【００１２】
安価な製品であり、場所もとらず、あったら便利的なものであり、デザインを工夫すれば主婦や独身者にも受けいれられる。
【符号の説明】
【００１３】
１  一人分用筒
２  二人分用筒
３  半円筒の円周
４  底点
５  開口部
６  Ｖ字型スパゲッティ計量筒
７  Ｖ字型スパゲッティ計量器の開口部
８  目盛り
９  足
【図１】
0003161691.tif 000003
【図２】
0003161691.tif 000004